(57)【特許請求の範囲】
【請求項１】
結束機本体の後部に回転自在に設けたワイヤリールから送りモータを備えた送り手段によって結束用ワイヤを結束機本体の前方に送り出して交差した鉄筋の周囲に巻き付けた後、捩り用フックで捩って結束する鉄筋結束機におけるワイヤリールのブレーキ機構において、
上記ワイヤリールのフランジの周縁部に一定の間隔で形成される係合部と、
上記係合部に係合可能に設けられてソレノイドで作動するブレーキ手段とを有し、
上記ブレーキ手段は、ワイヤリールからワイヤを所定の長さだけ送り出した後に上記ソレノイドのオンオフにより作動して上記係合部に係合し、上記ワイヤリールのワイヤ送り方向への回転を停止させる
ことを特徴とする鉄筋結束機におけるワイヤリールのブレーキ機構。
【発明の詳細な説明】
【０００１】
【発明の属する技術分野】
本発明は鉄筋結束機において所定の長さの結束用ワイヤを送り出した後にワイヤリールの回転を停止させるブレーキ機構に関する。
【０００２】
【従来技術】
一般に鉄筋結束機は、交差された鉄筋の周囲に所定の長さの結束用ワイヤを巻き回した後にこのワイヤを捩り用フックで捩って結束するものである。ワイヤは結束機本体の後部に装着されたワイヤリールに巻回され、ワイヤ送り時にはワイヤ送り手段によってワイヤが前方に送り出され、このときワイヤリールが回転してワイヤが巻き出される。ワイヤの送り量は正確に制御され、所定の長さのワイヤが送られると、ワイヤの送りは急停止する。
【０００３】
【発明が解決しようとする課題】
しかしながら、上記ワイヤ送り機構によれば、所定の長さの送りがなされるとワイヤの送りは急停止するが、図５に示されるようにワイヤリール２０は慣性によって余分に回り続けるから、ワイヤリール２０上のワイヤ２１の径は膨らんでしまい、ワイヤ２１が絡みあって円滑な巻き出しができなくなり、次段のワイヤ送りに支障をきたすことがある。
【０００４】
これに対応するものとして、ワイヤリールに板バネ等で常時ブレーキをかけてワイヤリールの惰性回転を防止することも考えられるが、この場合は送りの負荷が増大するので、消費電流が増加し、モータが発熱し、スピードが低下する等の問題が生じる。
【０００５】
本発明は上記問題点を解消し、所定のワイヤ送りが終了するとほぼ同時にワイヤリールの回転にブレーキをかけることができる鉄筋結束機におけるワイヤリールのブレーキ機構を提供することをその課題とする。
【０００６】
【課題を解決するための手段】
前記課題を解決するため、本発明に係る鉄筋結束機におけるワイヤリールのブレーキ機構は、結束機本体の後部に回転自在に設けたワイヤリールから送りモータを備えた送り手段によって結束用ワイヤを結束機本体の前方に送り出して交差した鉄筋の周囲に巻き付けた後、捩り用フックで捩って結束する鉄筋結束機におけるワイヤリールのブレーキ機構において、上記ワイヤリールのフランジの周縁部に一定の間隔で形成される係合部と、上記係合部に係合可能に設けられてソレノイドで作動するブレーキ手段とを有し、上記ブレーキ手段は、ワイヤリールからワイヤを所定の長さだけ送り出した後に上記ソレノイドのオンオフにより作動して上記係合部に係合し、上記ワイヤリールのワイヤ送り方向への回転を停止させることを特徴とする。
【０００７】
【発明の実施の形態】
図１は鉄筋結束機における結束機構の概要を示す側面図で、同図において符号１は結束機本体１、２は結束機本体１の後部に回転自在に設けたワイヤリールを示す。結束機本体１にはワイヤ３の通路（図示せず）が形成され、通路にはワイヤ３を前方に送り出す送り手段５が配置され、また結束機本体１の前部にはワイヤ３をループ状に曲がるように案内するガイド６が設けられている。また、結束機本体１には交差した鉄筋７の周囲に巻き付けられたワイヤ３に係合して捩る捩り用フック８が形成され、この捩り用フック８はモータ９によって駆動されるように構成されている。なお、上記送り手段５も図示しない別のモータによって駆動される。
【０００８】
上記鉄筋結束機は送り手段５によってワイヤリール２から所定の長さのワイヤ３を送り出して交差された鉄筋７の周囲に巻き回した後、送り手段５からの信号に基づいて捩り用モータ９が作動し、捩り用フック８を駆動してワイヤ３を捩って結束するものである。
【０００９】
上記ワイヤリール２はドラム２ａとフランジ２ｂとから構成され、結束機本体１の後部一側に形成された収納部に着脱自在に収納配置されている。そして、ワイヤリール２の近傍には次のブレーキ機構が設けられている。すなわち、図２に詳しく示されるようにワイヤリール２のフランジ２ｂの周縁部には一定の間隔に溝状係合部１１が切欠き形成され、この係合部１１に対向する位置にブレーキ手段１３が配置されている。ブレーキ手段１３の先端はＬ字形に屈曲し、この屈曲部１４は上記係合部１１に係合可能に配置されている。
【００１０】
ブレーキ手段１３はソレノイド１５の鉄芯と一体に形成され、ソレノイド１５と連動するが、図示しないバネにより伸長するように付勢されている。ソレノイド１５のオンオフ動作は、上記送り手段５によりワイヤ３の送りが終了したときに出力された信号によりコンピュータのＣＰＵ（中央演算装置）が制御するように構成されている。
【００１１】
上記構成のブレーキ機構において、送り用モータが回転して送り手段５により所定の長さのワイヤ３が送り出されたことをＣＰＵが判断してソレノイド１５をオンさせ、これによりブレーキ手段１３がバネに抗して作動してワイヤリール２の周縁部の係合部１１に係合し、ワイヤリール２の回転を強制的に停止させる。
【００１２】
リール２の回転が停止した後はソレノイド１５のスイッチをオフにする。バネの力によりブレーキ手段１３は元の方向に移動し、ブレーキは解除される。
【００１３】
なお、ソレノイド１５をオンにするタイミングは、ワイヤ３の送り直後でなくそれよりもわずかに早くてもよい。それは、ワイヤリール２に巻いたワイヤ３に余裕があり、送りの終了直前にブレーキをかけてもワイヤ３の送りは継続されるからであり、ブレーキ時にはワイヤ３は強く張った状態となる。
【００１４】
次に、図３はブレーキ機構の他の例で、この例においてもワイヤリール２の周縁部の近傍にはブレーキ手段１３が配置されている。ブレーキ手段１３の一端１３ａはワイヤリール２の係合部１１に係合可能に配置され、他端１３ｂはソレノイド１５の鉄芯１５ａと一体に連結されている。鉄芯１５ａは圧縮バネ１６によりソレノイド１５から突出する方向に付勢されている。ブレーキ手段１３は中間の支軸１７により回動するように取り付けられている。この場合も、ソレノイド１５のオンオフ動作は、上記送り手段５によりワイヤ３の送りが終了したときに出力された信号によりコンピュータのＣＰＵが制御するように構成されている。
【００１５】
上記構成のブレーキ機構において、送り用モータが回転して送り手段５により所定の長さのワイヤ３が送り出されたことをＣＰＵが判断してソレノイド１５をオンさせ、これにより鉄芯１５ａが下方に移動するのでブレーキ手段１３が回動し、その先端がワイヤリール２の周縁部の係合部１１に係合し、ワイヤリール２の回転を強制的に停止させる。
【００１６】
リール２の回転が停止した後はソレノイド１５のスイッチをオフにする。圧縮バネ１６の力によりブレーキ手段１３は元の方向に回動し、ブレーキは解除される。
【００１７】
また、図４はブレーキ機構のさらに他の例で、この例においてはワイヤリール２の側面の近傍にブレーキ手段１３が配置されている。ブレーキ手段１３はソレノイド１５の鉄芯１５ａの一端に取り付けられた係合板１７によって構成され、係合板１７はワイヤリール２の側面（凹凸があってもよい）に係合可能に配置され、圧縮バネ１６により突出する方向に付勢されている。
【００１８】
この場合、通常はソレノイド１５がオンしたときに係合板１７はワイヤリール２から離反している。そして、所定の長さのワイヤ３が送り出されたことをＣＰＵが判断してソレノイド１５をオフさせることにより鉄芯１５ａが圧縮バネ１６によって突出移動して係合板１７がワイヤリール２の側面に係合して押圧するので、ワイヤリール２の回転が強制的に停止される。
【００１９】
上述のように、所定の長さのワイヤ３の送り終了とほぼ同時にソレノイドがオン又はオフ作動し、これによってブレーキ手段１３が作動してワイヤリール２にブレーキがかけられてその回転が急停止するので、ワイヤリール２が回転し過ぎてワイヤ３の径が膨らむことがなく、常にワイヤ３を円滑に送ることができ、従来のブレーキ機構における消費電流の増加、モータの発熱、スピード低下等の不都合を良好に防止することができる。
【図面の簡単な説明】
【図１】鉄筋結束機の結束機構の概要を示す側面の縦断面図
【図２】ワイヤリールのブレーキ機構の拡大図
【図３】上記ブレーキ機構の他の例の概要図
【図４】上記ブレーキ機構のさらに他の例の概要図
【図５】従来の鉄筋結束機によるワイヤ送り終了時のワイヤリール状態説明図
【符号の説明】
１  結束機本体
２  ワイヤリール
３  結束用ワイヤ
５  送り手段
１３  ブレーキ手段
１５  ソレノイド
【図１】
0003598783.tif 000002
【図２】
0003598783.tif 000003
【図３】
0003598783.tif 000004
【図４】
0003598783.tif 000005
【図５】
0003598783.tif 000006